(57)【特許請求の範囲】
【請求項１】
フラットケーブルが挿抜可能なフラットケーブル受容開口を有する絶縁性のハウジングと、
該ハウジングに取り付けられたコンタクトであって、上下に対向し、前記フラットケーブル受容開口に挿入された前記フラットケーブルの上面に接触する上側接触ビーム及び前記フラットケーブルの下面に接触する下側接触ビームを有するコンタクトと、
前記フラットケーブルが前記フラットケーブル受容開口に挿入された際に、回動操作によって前記上側接触ビーム及び前記下側接触ビームによる前記フラットケーブルに対する接圧を付与するアクチュエータとを備えたフラットケーブルコネクタであって、
前記コンタクトに、前記下側接触ビームから延び、前記アクチュエータの回動操作によって駆動され、前記下側接触ビームを上方に変位させて前記上側接触ビーム及び前記下側接触ビームによる前記フラットケーブルに対する接圧を付与する作動部を設け、
前記上側接触ビームのフラットケーブル挿入方向手前側に、前記フラットケーブル受容開口に挿入された前記フラットケーブルが上方に曲げられた際に、前記フラットケーブルの曲げ位置を前記上側接触ビームからフラットケーブル挿入方向手前側に隔離するフラットケーブル曲げ位置矯正部を備え、
前記フラットケーブル曲げ位置矯正部の下方且つ前記下側接触ビームのフラットケーブル挿入方向手前側に、上方に曲げられた前記フラットケーブルに対して下方に荷重が加わった際に、前記フラットケーブルを受ける荷重受け部を備えたことを特徴とするフラットケーブルコネクタ。
【請求項２】
前記フラットケーブル曲げ位置矯正部は、前記ハウジングの幅方向両端に設けられた一対の半田ペグから延びていることを特徴とする請求項１記載のフラットケーブルコネクタ。
【請求項３】
前記荷重受け部は、前記ハウジングの一部であることを特徴とする請求項１又は２記載のフラットケーブルコネクタ。
【請求項４】
前記アクチュエータは、前記ハウジングに対し、回動操作開始位置からフラットケーブル挿入方向の奥側に回動することによって回動操作終了位置に至るように回動可能に支持されていることを特徴とする請求項１乃至３のうちいずれか一項に記載のフラットケーブルコネクタ。
【発明の詳細な説明】
【技術分野】
【０００１】
本発明は、フレキシブルフラットケーブル（ＦＦＣ）及びフレキシブル回路基板（ＦＰＣ）などのフラットケーブルが接続されるフラットケーブルコネクタに関する。
【背景技術】
【０００２】
従来のこの種のフラットケーブルコネクタとして、例えば、図１０に示すものが知られている（特許文献１参照）。図１０は、従来のフラットケーブルコネクタの一例の断面図である。
図１０に示すフラットケーブルコネクタ１００は、フラットケーブル１４０が挿抜可能なフラットケーブル受容開口１１１を有する絶縁性のハウジング１１０を備えている。ハウジング１１０には、その幅方向に沿って複数のコンタクト１２０が取り付けられている。各コンタクト１２０は、フラットケーブル受容開口１１１に挿入されたフラットケーブル１４０の上面に接触する上側接触ビーム１２４及びフラットケーブル１４０の下面に接触する下側接触ビーム１２３を有する。上側接触ビーム１２４及び下側接触ビーム１２３のそれぞれの先端には、接触突部１２４ａ，１２３ａが形成されている。コンタクト１２０は、前側（図１０における左側、フラットケーブル挿入方向手前側）から後側（図１０における右側、フラットケーブル挿入方向奥側）に細長く延びる基部１２１を有する。基部１２１は、ハウジング１１０の後方からハウジング１１０に対して圧入固定される。下側接触ビーム１２３は、基部１２１の前後方向略中央部から上方に延びる支点部１２２の上端に設けられる。下側接触ビーム１２３は、支点部１２２を挟んで前後方向に細長く延びている。上側接触アーム１２４は、下側接触ビーム１２３の支点部１２２よりも後側の部分から立ち上がり、下側接触ビーム１２３に対向するように前方に向けて延びる。
【０００３】
また、フラットケーブルコネクタ１００は、アクチュエータ１３０を備えている。このアクチュエータ１３０は、フラットケーブル１４０がフラットケーブル受容開口１１１に挿入された際に、回動操作によって上側接触ビーム１２４及び下側接触ビーム１２３によるフラットケーブル１４０に対する接圧を付与する。具体的に述べると、アクチュエータ１３０は、ハウジング１１０に対し、回動操作開始位置から後側に、即ち図１０における矢印Ａ方向に回動することによって回動操作終了位置に至るように回動可能に支持されている。図１０においては、アクチュエータ１３０が回動操作終了位置にある状態を示している。
【０００４】
そして、各コンタクト１２０には、アクチュエータ１３０の回動操作によって駆動される作動部１２５が設けられている。作動部１２５は、下側接触ビーム１２３の後端部に設けられる。作動部１２５は、アクチュエータ１３０が後側に向けて回動された際に、アクチュエータ１３０の駆動部１３１によって上方に押し上げられ、上側接触ビーム１２４が下側に変位する。これにより、上側接触ビーム１２４及び下側接触ビーム１２３によるフラットケーブル１４０に対する接圧が付与される。
【０００５】
また、従来のフラットケーブルの他の例として、例えば、図１１に示すものも知られている（特許文献２参照）。図１１は、従来のフラットケーブルコネクタの他の例の断面図である。
図１１に示すフラットケーブルコネクタ２００は、フラットケーブル２５０が挿抜可能なフラットケーブル受容開口２１１を有する絶縁性のハウジング２１０を備えている。ハウジング２１０には、その幅方向に沿って複数のコンタクト２２０が取り付けられている。各コンタクト２２０は、ハウジング２１０の後端（フラットケーブル挿入方向奥端、図１１における右端）から圧入される基部２２１を備えている。基部２２１の前縁の上端からは、連結部２２３が前方に延び、連結部２２３の前端に回動支持部２２２が設けられている。また、連結部２２３の下端縁の前後方向略中央部からは、下側接触アーム２２４が延びている。下側接触アーム２２４は、連結部２２３から下方に延び更に前方に延びる。下側接触アーム２２４は、フラットケーブル受容開口２１１に挿入されたフラットケーブル２５０の下面に接触する。
【０００６】
また、フラットケーブルコネクタ２００は、アクチュエータ２３０を備えている。アクチュエータ２３０は、フラットケーブル２５０がフラットケーブル受容開口２１１に挿入された際に、回動操作によって下側接触ビーム２２４によるフラットケーブル２５０に対する接圧を付与する。具体的に述べると、アクチュエータ２３０は、回動支持部２２２に対し、回動操作開始位置から前側に、即ち図１１における矢印Ｂ方向に回動することによって回動操作終了位置に至るように回動可能に支持されている。図１１においては、アクチュエータ２３０が回動操作終了位置にある状態を示している。アクチュエータ２３０が回動操作開始位置から前側に回動すると、アクチュエータ２３０に設けられた押圧部２３１がフラットケーブル２５０の上面を押圧する。これにより、下側接触ビーム２２４によるフラットケーブル２５０に対する接圧が付与される。
更に、ハウジング２１０の前端であって幅方向両端には、一対の抑止翼２４０（一方のみ図示）が設けられている。これら抑止翼２４０は、フラットケーブル２５０の上面に近接もしくは接面するように位置し、フラットケーブル２５０の上方への移動を規制する。
【先行技術文献】
【特許文献】
【０００７】
【特許文献１】特開２００４−１５８２０６号公報
【特許文献２】特許第３０２９９８５号公報
【発明の概要】
【発明が解決しようとする課題】
【０００８】
しかしながら、図１０に示したフラットケーブルコネクタ１００及び図１１に示したフラットケーブルコネクタ２００にあっては、以下の問題点があった。
即ち、図１０に示したフラットケーブルコネクタ１００の場合、アクチュエータ１３０が回動操作終了位置にある状態では、アクチュエータ１３０の駆動部１３１によって作動部１２５がロックされている。このため、挿入が完了したフラットケーブル１４０が図１０における矢印Ｘで示す上方に煽られた場合には、下側接触ビーム１２３がフラットケーブル１４０に追従できないので、接触不良が生じるおそれがあった。
【０００９】
また、図１１に示したフラットケーブルコネクタ２００の場合、抑止翼２４０を設けているので、フラットケーブル２５０が上方へ煽られた際にアクチュエータ２３０が回動してフラットケーブル２５０が抜けてしまうことはない。しかしながら、図１１に示すように、上方へ曲げられたフラットケーブル２５０に対して矢印Ｙで示す下方に荷重が加わる場合には、フラットケーブル２５０にかかる荷重を受ける部材が何ら存在しない。このため、フラットケーブル２５０の下側接触ビーム２２４が接触している部分の近傍に対しても下方へ移動しようとする荷重が作用する。ここで、図１１に示すフラットケーブルコネクタ２００において、図１０に示すフラットケーブルコネクタ１００のように上側接触ビームが存在すると仮定した場合、フラットケーブル２５０が上側接触ビームから離れようとする。このため、上側接触ビームによるフラットケーブル２５０に対する接圧が低下し、接触不良が生じるおそれがある。
【００１０】
従って、本発明はこれら問題点に鑑みてなされたものであり、その目的は、コンタクトがフラットケーブルの上面及び下面に接触する上側接触ビーム及び下側接触ビームを有するフラットケーブルコネクタにおいて、フラットケーブルが上方に煽られた場合に、下側接触ビームがフラットケーブルに追従できる構成として下側接触ビームの接触不良を回避するとともに、上方へ曲げられたフラットケーブルに対して下方に荷重が加わる場合にも上側接触ビームの接触不良を回避することができるフラットケーブルコネクタを提供することにある。
【課題を解決するための手段】
【００１１】
上記目的を達成するために、本発明のうち請求項１に係るフラットケーブルコネクタは、フラットケーブルが挿抜可能なフラットケーブル受容開口を有する絶縁性のハウジングと、該ハウジングに取り付けられたコンタクトであって、上下に対向し、前記フラットケーブル受容開口に挿入された前記フラットケーブルの上面に接触する上側接触ビーム及び前記フラットケーブルの下面に接触する下側接触ビームを有するコンタクトと、前記フラットケーブルが前記フラットケーブル受容開口に挿入された際に、回動操作によって前記上側接触ビーム及び前記下側接触ビームによる前記フラットケーブルに対する接圧を付与するアクチュエータとを備えたフラットケーブルコネクタであって、前記コンタクトに、前記下側接触ビームから延び、前記アクチュエータの回動操作によって駆動され、前記下側接触ビームを上方に変位させて前記上側接触ビーム及び前記下側接触ビームによる前記フラットケーブルに対する接圧を付与する作動部を設け、前記上側接触ビームのフラットケーブル挿入方向手前側に、前記フラットケーブル受容開口に挿入された前記フラットケーブルが上方に曲げられた際に、前記フラットケーブルの曲げ位置を前記上側接触ビームからフラットケーブル挿入方向手前側に隔離するフラットケーブル曲げ位置矯正部を備え、前記フラットケーブル曲げ位置矯正部の下方且つ前記下側接触ビームのフラットケーブル挿入方向手前側に、上方に曲げられた前記フラットケーブルに対して下方に荷重が加わった際に、前記フラットケーブルを受ける荷重受け部を備えたことを特徴としている。
【００１２】
また、本発明のうち請求項２に係るフラットケーブルコネクタは、請求項１記載のフラットケーブルコネクタにおいて、前記フラットケーブル曲げ位置矯正部は、前記ハウジングの幅方向両端に設けられた一対の半田ペグから延びていることを特徴としている。
更に、本発明のうち請求項３に係るフラットケーブルコネクタは、請求項１又は２記載のフラットケーブルコネクタにおいて、前記荷重受け部は、前記ハウジングの一部であることを特徴としている。
【００１３】
加えて、本発明のうち請求項４に係るフラットケーブルコネクタは、請求項１乃至３のうちいずれか一項に記載のフラットケーブルコネクタにおいて、前記アクチュエータは、前記ハウジングに対し、回動操作開始位置からフラットケーブル挿入方向の奥側に回動することによって回動操作終了位置に至るように回動可能に支持されていることを特徴としている。
【発明の効果】
【００１４】
本発明に係るフラットケーブルコネクタによれば、コンタクトに、下側接触ビームから延び、アクチュエータの回動操作によって駆動され、下側接触ビームを上方に変位させて上側接触ビーム及び下側接触ビームによるフラットケーブルに対する接圧を付与する作動部を設けた。これにより、フラットケーブルが上方へ煽られた場合に、フラットケーブルの下面は下側接触ビームから離れようとするが、下側接触ビームはアクチュエータ及び作動部によって上方へ変位させられているので、下側接触ビームはフラットケーブルの動きに追従することができる。従って、フラットケーブルが上方に煽られた場合に、下側接触ビームがフラットケーブルに追従できる構成として下側接触ビームの接触不良を回避することができる。
【００１５】
また、上側接触ビームのフラットケーブル挿入方向手前側に、フラットケーブル受容開口に挿入されたフラットケーブルが上方に曲げられた際に、フラットケーブルの曲げ位置を上側接触ビームからフラットケーブル挿入方向手前側に隔離するフラットケーブル曲げ位置矯正部を備えた。これにより、上方へ曲げられたフラットケーブルに対して下方に荷重が加わった場合、荷重が加わるフラットケーブルの位置が上側接触ビームから離れることになり、フラットケーブルにかかる荷重が上側接触ビーム及び下側接触ビームとフラットケーブルとの接点に直接かかることを回避できる。これにより、フラットケーブルの上面が下方に移動して上側接触アームから離れることを防止でき、上側接触ビームの接触不良を回避することができる。
【００１６】
更に、フラットケーブル曲げ位置矯正部の下方且つ下側接触ビームのフラットケーブル挿入方向手前側に、上方に曲げられたフラットケーブルに対して下方に荷重が加わった際に、フラットケーブルを受ける荷重受け部を備えた。これにより、上方へ曲げられたフラットケーブルに対して下方に荷重が加わった場合、フラットケーブルは、荷重受け部によってその荷重が受けられる。このため、フラットケーブルの上面が下方に移動して上側接触アームから離れることを防止でき、上側接触ビームの接触不良を回避することができる。
【図面の簡単な説明】
【００１７】
【図１】本発明に係るフラットケーブルコネクタの実施形態の正面図である。
【図２】図１に示すフラットケーブルコネクタの平面図である。
【図３】図１に示すフラットケーブルコネクタの右側面図である。
【図４】図１における４−４線に沿う断面図である。
【図５】図１における５−５線に沿う断面図である。
【図６】図１における６−６線に沿う断面図である。
【図７】図１に示すフラットケーブルコネクタに用いられる左側半田ペグを示し、（Ａ）は平面図、（Ｂ）は右側面図、（Ｃ）は背面図である。
【図８】図１に示すフラットケーブルコネクタに用いられる右側半田ペグを示し、（Ａ）は平面図、（Ｂ）は右側面図、（Ｃ）は背面図である。
【図９】図１に示すフラットケーブルコネクタの作用を説明するもので、（Ａ）はフラットケーブルがフラットケーブル受容開口に挿入された状態の断面図、（Ｂ）はアクチュエータが回動操作終了状態にある断面図、（Ｃ）はフラットケーブルが上方へ煽られた状態の断面図、（Ｄ）は上方へ曲げられたフラットケーブルに対して下方に荷重が加わった場合の断面図である。
【図１０】従来のフラットケーブルコネクタの一例の断面図である。
【図１１】従来のフラットケーブルコネクタの他の例の断面図である。
【発明を実施するための形態】
【００１８】
以下、本発明に係るフラットケーブルコネクタの実施形態を図面を参照して説明する。
図１に示すフラットケーブルコネクタ１は、ハウジング１０と、ハウジング１０に取り付けられた複数の第１コンタクト２０及び第２コンタクト３０と、アクチュエータ４０と、一対の左側半田ペグ５０及び右側半田ペグ６０とを備えている。
ここで、ハウジング１０は、幅方向（図１における左右方向）及び前後方向（図２における上下方向）に延びる略矩形に形成され、絶縁性の合成樹脂を成形することによって一体的に形成される。ハウジング１０には、フラットケーブル７０（図９参照）が挿抜可能なフラットケーブル受容開口１１が設けられている。このフラットケーブル受容開口１１は、ハウジング１０の幅方向に沿い且つハウジング１０の前端面（図２における下端面、図４及び図５における左端面）から後方に向けて延びている。フラットケーブル７０は、本実施形態では、フレキシブル回路基板（ＦＰＣ）で構成されている。フラットケーブル７０は、フラットケーブル受容開口１１に対してフラットケーブル挿入方向（前後方向）に沿って挿入され、その反対方向に沿って抜去される。
【００１９】
また、複数の第１コンタクト２０及び第２コンタクト３０は、ハウジング１０の幅方向に沿って一列状に交互に取り付けられる。
各第１コンタクト２０は、図４に示すように、基部２１、下側接触ビーム２２、上側接触ビーム２３、及び作動部２４を備え、金属板を打抜き加工することによって形成される。基部２１は、略矩形の平板状に形成され、ハウジング１０の後方からハウジング１０に圧入固定される。基部２１の下端部には、図示しない回路基板上に接続される基板接続部２１ａが設けられている。下側接触ビーム２２は、基部２１の前端縁の下端部から狭小部２１ｂを介して前方に延び、フラットケーブル受容開口１１の下方側に位置する。また、上側接触ビーム２３は、基部２１の前端縁の上端部近傍から前方に延び、フラットケーブル受容開口１１の上方側に位置する。そして、上側接触ビーム２３及び下側接触ビーム２２は、上下に対向している。また、下側接触ビーム２２の前端には、フラットケーブル受容開口１１に挿入されたフラットケーブル７０（図９（Ａ）参照）の下面に接触する接触突部２２ａが上方に向けて突出形成されている。また、上側接触ビーム２３の前端には、フラットケーブル受容開口１１に挿入されたフラットケーブル７０の上面に接触する接触突部２３ａが下方に向けて突出形成されている。更に、作動部２４は、下側接触ビーム２２の後方部から一旦立ち上がり更に前方に向けて延びている。この作動部２４は、フラットケーブル７０がフラットケーブル受容開口１１に挿入された後、アクチュエータ４０の回動操作によって駆動され、下側接触ビーム２２を上方に向けて変位させる機能を有する。これにより、上側接触ビーム２３及び下側接触ビーム２２によるフラットケーブル７０に対する接圧が付与される。
【００２０】
また、各第２コンタクト３０は、図５に示すように、基部３１、下側接触ビーム３２、上側接触ビーム３３、及び前方延出部３４を備え、金属板を打抜き加工することによって形成される。基部３１は、略矩形の平板状に形成され、ハウジング１０の前方からハウジング１０に圧入固定される。下側接触ビーム３２は、基部３１の前端縁の下端部から前方に延びる連結部３１ａの前端から立ち上がり更に後方に向けて延びてフラットケーブル受容開口１１の下方側に位置する。連結部３１ａの前端の下端部には、図示しない回路基板に接続される基板接続部３１ｂが設けられている。また、上側接触ビーム３３は、連結部３１ａの後端近傍から立ち上がり更に前方に向けて延びてフラットケーブル受容開口１１の上方側に位置する。更に、前方延出部３４は、基部３１の前端縁の上端部から前方に向けて延びている。また、下側接触ビーム３２の後端には、フラットケーブル受容開口１１に挿入されたフラットケーブル７０の下面に接触する接触突部３２ａが上方に向けて突出形成されている。また、上側接触ビーム３３の前端には、フラットケーブル受容開口１１に挿入されたフラットケーブル７０の上面に接触する接触突部３３ａが下方に向けて突出形成されている。なお、フラットケーブル７０がフラットケーブル受容開口１１に挿入された後、アクチュエータ４０の回動操作によって駆動部４９が上側接触ビーム３３の前端を上方から押圧し、上側接触ビーム３３を下方に向けて変位させる。これにより、上側接触ビーム３３及び下側接触ビーム３２によるフラットケーブル７０に対する接圧が付与される。
【００２１】
更に、アクチュエータ４０は、フラットケーブル７０がフラットケーブル受容開口１１に挿入された際に、回動操作によって上側接触ビーム２３、３３及び下側接触ビーム２２、３２によるフラットケーブル７０に対する接圧を付与する。アクチュエータ４０は、図１に示すように、ハウジング１０の幅方向に沿って延びるアクチュエータ本体部４１と、アクチュエータ本体部４１の幅方向両端に設けられた一対の側壁部４２とを備えている。一対の側壁部４２は、それら側壁部４２の前端（図１、図４における下端）において、幅方向に延びる連結部４３によって連結されている。そして、連結部４３の幅方向両端近傍には、図１及び図６に示すように、一対の左側半田ペグ５０及び左側半田ペグ６０を挿通可能とする一対の貫通孔４４が形成されている。また、各アクチュエータ４０の貫通孔４４のところには、図６に示すように、回動軸部４５が設けられている。各回動軸部４５は、図６に示すように、ハウジング１０に圧入固定された右側半田ペグ６０（左側半田ペグ５０も同様）の切欠６５に入り込む。これにより、アクチュエータ４０は、図９（Ａ）に示す回動操作開始位置から図９（Ｂ）に示す回動操作終了位置に至るまで矢印Ａ方向に回動可能となっている。つまり、アクチュエータ４０は、ハウジング１０に対し、回動操作開始位置から後側（フラットケーブル挿入方向奥側）に回動することによって回動操作終了位置に至るように回動可能に支持されている。従って、フラットケーブルコネクタ１は、いわゆるバックフリップ型のコネクタということができる。ここで、回動操作開始位置は、図９（Ａ）に示すように、アクチュエータ４０が水平方向に対して９０°の角度で起立した位置である。また、回動操作終了位置は、図９（Ｂ）に示すように、アクチュエータ４０が水平方向となる位置である。
【００２２】
また、アクチュエータ４０の連結部４３には、図１、図４及び図５に示すように、第１コンタクト２０の上側接触アーム２３が入り込む複数の第１貫通孔４６が形成されている。また、同連結部４３には、第２コンタクト３０の前方延出部３４が入り込む複数の第２貫通孔４８が形成されている。複数の第１貫通孔４６及び第２貫通孔４８は、連結部４３の幅方向に沿って交互に形成されている。そして、アクチュエータ４０の連結部４３の第１貫通孔４６のところには、図４及び図９（Ａ）,(Ｂ)に示すように、駆動部４７が設けられている。この駆動部４７は、アクチュエータ４０の回動操作によって第１コンタクト２０の作動部２４を駆動し、作動部２４と一体の下側接触ビーム２２を上方に変位させる。更に、アクチュエータ４０の連結部４３の第２貫通孔４８のところには、図５に示すように、別個の駆動部４９が設けられている。この駆動部４９は、回動操作によって第２コンタクト３０の上側接触ビーム３３の先端を上方から押し、上側接触ビーム３３を下方に向けて変位させる。
【００２３】
また、一対の左側半田ペグ５０及び右側半田ペグ６０は、ハウジング１０の幅方向両端部に圧入固定されるものであり、ハウジング１０を回路基板（図示せず）上に半田によって固定するものである。
ここで、左側半田ペグ５０は、ハウジング１０の幅方向左端に圧入固定されるものであり、その詳細な構造が左側半田ペグ５０は、図７（Ａ）,(Ｂ)，（Ｃ）に示される。左側半田ペグ５０は、略矩形平板状の基部５１と、圧入部５２と、フラットケーブル曲げ位置矯正部５４とを備え、金属板を打抜き及び曲げ加工することによって形成される。左側半田ペグ５０の基部５１は、その下端縁が回路基板上に半田固定される。圧入部５２は、基部５１の後端縁から後方に延び、ハウジング１０の前方からハウジング１０に圧入固定される。
【００２４】
また、フラットケーブル曲げ位置矯正部５４は、図９（Ｃ）に示すように、フラットケーブル受容開口１１に挿入されたフラットケーブル７０が上方に曲げられた際に、フラットケーブル７０の曲げ位置を第１コンタクト２０の上側接触ビーム２３から前側（フラットケーブル挿入方向手前側）に隔離する。そして、このフラットケーブル曲げ位置矯正部５４は、図７（Ａ）,(Ｂ)，（Ｃ）に示すように、基部５１の上端縁から連結部５３を介して前後方向に延びている。フラットケーブル曲げ位置矯正部５４は、連結部５３の上端から前後方向に延びる基板部５４ａと、基板部５４ａの前端から右側に延びる曲げ位置矯正部５４ｂとを備えている。曲げ位置矯正部５４ｂは、フラットケーブル７０が上方に曲げられた際に、その前面においてフラットケーブル７０を規制し、フラットケーブル７０の曲げ位置を第１コンタクト２０の上側接触ビーム２３から前側に隔離する。このため、曲げ位置矯正部５４ｂの位置は、上側接触ビーム２３から前側に所定距離だけ離れている。また、曲げ位置矯正部５４ｂは、図９（Ａ）に示すように、アクチュエータ４０が回動操作開始位置にあるときにアクチュエータ４０よりも前側に位置する。
【００２５】
一方、右側半田ペグ６０は、ハウジング１０の幅方向右端に圧入固定されるものであり、その詳細な構造が図８（Ａ）,(Ｂ)，（Ｃ）に示される。この右側半田ペグ６０は、左側半田ペグ５０と鏡面対称の形状を有し、略矩形平板状の基部６１と、圧入部６２と、フラットケーブル曲げ位置矯正部６４とを備え、金属板を打抜き及び曲げ加工することによって形成される。基部６１は、基部５１と、圧入部６２は、圧入部５２と同一の形状、機能を有するので、その説明を省略する。
【００２６】
右側半田ペグ６０のフラットケーブル曲げ位置矯正部６４は、フラットケーブル曲げ位置矯正部５４と同様の機能を有する。すなわち、フラットケーブル受容開口１１に挿入されたフラットケーブル７０が上方に曲げられた際に、フラットケーブル７０の曲げ位置を上側接触ビーム２３から前側に隔離する。そして、このフラットケーブル曲げ位置矯正部６４は、図８（Ａ）,(Ｂ)，（Ｃ）に示すように、基部６１の上端縁から連結部６３を介して前後方向に延びている。フラットケーブル曲げ位置矯正部６４は、連結部６３の上端から前後方向に延びる基板部６４ａと、基板部６４ａの前端から左側に延びる曲げ位置矯正部６４ｂとを備えている。曲げ位置矯正部６４ｂは、フラットケーブル７０が上方に曲げられた際に、その前面においてフラットケーブル７０を規制し、フラットケーブル７０の曲げ位置を上側接触ビーム２３から前側に隔離する。このため、曲げ位置矯正部６４ｂの位置は、上側接触ビーム２３から前側に所定距離だけ離れている。また、曲げ位置矯正部６４ｂは、アクチュエータ４０が回動操作開始位置にあるときにアクチュエータ４０よりも前側に位置する。
【００２７】
更に、フラットケーブル曲げ位置矯正部５４，６４の下方且つ下側接触ビーム２２の前側（フラットケーブル挿入方向手前側）には、図１及び図４に示すように、複数の荷重受け部１２が設けられている。各荷重受け部１２は、上方に曲げられたフラットケーブル７０に対して下方に荷重が加わった際に、フラットケーブル７０を受ける。荷重受け部１２は、図１に示すように、ハウジング１０の幅方向に沿って第１コンタクト２０と同一ピッチで下側接触ビーム２２の前側に複数設けられている。各荷重受け部１２は、ハウジング１０の底壁１０ａから立ち上がるように設けられている。図４に示すように、各荷重受け部１２の前端面は、曲げ位置矯正部５４ｂの前面よりも前側に突出する。これにより、各荷重受け部１２は、上方に曲げられたフラットケーブル７０に対して下方に荷重が加わった際に、フラットケーブル７０を確実に受ける。
【００２８】
次に、図９（Ａ）,(Ｂ)，（Ｃ），（Ｄ）を参照してフラットケーブルコネクタ１の作用について説明する。
先ず、図９（Ａ）に示すように、アクチュエータ４０が回動操作開始位置にあるときに、フラットケーブル７０を前側（フラットケーブル挿入方向手前側）からフラットケーブル受容開口１１内に挿入する。この際には、第１コンタクト２０の下側接触ビーム２２及び上側接触ビーム２３、第２コンタクト３０の下側接触ビーム３２及び上側接触ビーム３３からフラットケーブル７０に対し接圧は付与されない。
【００２９】
次いで、図９（Ｂ）に示すように、アクチュエータ４０を後側（フラットケーブル挿入方向奥側）に向けて矢印Ａ方向に回動し、アクチュエータ４０が回動操作終了位置に至る。この際に、アクチュエータ４０の駆動部４７が第１コンタクト２０の作動部２４を駆動し、下側接触ビーム２２を上方に向けて変位させる。これにより、第１コンタクト２０の上側接触ビーム２３及び下側接触ビーム２２によるフラットケーブル７０に対する接圧が付与される。またこのとき同時に、図示はしないが、アクチュエータ４０の駆動部４９が第２コンタクト３０の上側接触ビーム３３の先端部を上方から押圧し、上側接触ビーム３３を下方に向けて変位させる。これにより、第２コンタクト３０の上側接触ビーム３３及び下側接触ビーム３２によるフラットケーブル７０に対する接圧が付与される。
このように、第１コンタクト２０及び第２コンタクト３０によるフラットケーブル７０に対する接圧が付与されると、フラットケーブル７０とフラットケーブルコネクタ１が実装された回路基板との間の電気的接続が完了する。
【００３０】
その後、図９（Ｃ）に示すように、何らかの原因により、フラットケーブル７０が矢印Ｘで示す上方へ煽られることがある。この場合、フラットケーブル７０は、曲げ位置矯正部５４ｂ，６４ｂの前面で曲げ位置を矯正されつつ上方へ煽られる。ここで、フラットケーブル７０の下面は第１コンタクト２０の下側接触ビーム２２の接触突部２２ａから離れようとするが、下側接触ビーム２２はアクチュエータ４０及び作動部２４によって上方へ変位させられている。このため、下側接触ビーム２２の接触突部２２ａはフラットケーブル７０の動きに追従することができる。従って、フラットケーブル７０が上方に煽られた場合に、下側接触ビーム２２がフラットケーブル７０に追従できる構成により、下側接触ビーム２２とフラットケーブル７０との接触不良を回避することができる。
【００３１】
そして、図９（Ｄ）に示すように、何らかの原因により、上方へ曲げられたフラットケーブル７０に対して矢印Ｙで示す下方に荷重が加わる場合がある。この場合、フラットケーブル７０は、フラットケーブル曲げ位置矯正部５４，６４の下方且つ下側接触ビーム２２の前側に設けられた荷重受け部１２によってその荷重が受けられる。このため、フラットケーブル７０の上面が下方に移動して上側接触アーム２３の接触突部２３ａから離れることを防止でき、上側接触ビーム２３の接触不良を回避することができる。また、この際に、フラットケーブル曲げ位置矯正部５４，６４によってフラットケーブル７０の曲げ位置が上側接触ビーム２３ａから前側（フラットケーブル挿入方向手前側）に隔離されている。このため、荷重が加わるフラットケーブル７０の位置が上側接触ビーム２３ａから離れることになる。よって、フラットケーブル７０にかかる荷重が上側接触ビーム２３及び下側接触ビーム２２とフラットケーブル７０との接点に直接かかることを回避できる。これにより、フラットケーブル７０の上面が下方に移動して上側接触アーム２３の接触突部２３ａから離れることを確実に防止でき、上側接触ビーム２３の接触不良を確実に回避することができる。
【００３２】
なお、フラットケーブル曲げ位置矯正部５４，６４は、ハウジング１０の幅方向両端に設けられた一対の左側半田ペグ５０及び右側半田６０から延びている。このため、左側半田ペグ５０及び右側半田ペグ６０は、ハウジング１０を回路基板に対して固定する機能の他に、フラットケーブル曲げ位置矯正部としての機能をも兼備することになる。従って、フラットケーブル曲げ位置矯正部５４，６４を別個に設けることが不要となり、コストを安価なものとすることができる。
【００３３】
また、荷重受け部１２は、ハウジング１０の底壁１０ａから延び、ハウジング１０の一部として構成されている。このため、荷重受け部１２を別個に設けることが不要となり、コストを安価なものとすることができる。
以上、本発明の実施形態について説明してきたが、本発明はこれに限定されずに種々の変更、改良を行うことができる。
【００３４】
例えば、フラットケーブル曲げ位置矯正部５４，６４は、半田ペグ５０，６０から延びている必要は必ずしもなく、ハウジング１０から延びていたり、第１コンタクト２０あるいは第２コンタクト３０から延びていたりしてもよい。又は、フラットケーブル位置矯正部５４，６４は、ハウジング１０や第１及び第２コンタクト２０，３０とは別個の部材であってもよい。
更に、荷重受け部１２は、ハウジング１０の底壁１０ａから延びてハウジング１０の一部で構成されているが、ハウジング１０とは別個の部材で構成されていてもよい。
【００３５】
また、フラットケーブルコネクタ１は、アクチュエータ４０が、回動操作開始位置からフラットケーブル挿入方向の手前側に回動することによって回動操作終了位置に至るフロントフリップ型であってもよい。
また、フラットケーブル７０は、ＦＰＣに限らず、ＦＦＣなどの他のフラットケーブルであってもよい。
【符号の説明】
【００３６】
１  フラットケーブルコネクタ
１０  ハウジング
１１  フラットケーブル受容開口
１２  荷重受け部
２０  第１コンタクト（コンタクト）
２２  下側接触ビーム
２３  上側接触ビーム
２４  作動部
３０  第２コンタクト（コンタクト）
３２  下側接触ビーム
３３  上側接触ビーム
４０  アクチュエータ
５０  左側半田ペグ（半田ペグ）
５４  フラットケーブル曲げ位置矯正部
６０  右側半田ペグ（半田ペグ）
６４  フラットケーブル曲げ位置矯正部
７０  フラットケーブル
【図１】
0005869427.tif 000002
【図２】
0005869427.tif 000003
【図３】
0005869427.tif 000004
【図４】
0005869427.tif 000005
【図５】
0005869427.tif 000006
【図６】
0005869427.tif 000007
【図７】
0005869427.tif 000008
【図８】
0005869427.tif 000009
【図９】
0005869427.tif 000010
【図１０】
0005869427.tif 000011
【図１１】
0005869427.tif 000012